(57)【要約】【課題】蒸着前の蒸着材料の減少を効果的に防ぐとともに、高品質の機能素子を製造することができる蒸着装置等を提供する。【解決手段】蒸着装置であって、真空槽１１と、該真空槽内で被蒸着物２２を支持する手段２０と、前記被蒸着物に蒸着させる蒸着材料を収容する容器１２ａ，１２ｂと、前記真空槽内に周波数２．４〜２．５ＧＨｚのマイクロ波を照射して水分を蒸発させるマイクロ波照射手段１５，１６，１７と、前記容器に収容された蒸着材料を気化させる加熱手段１３とを具備することを特徴とする蒸着装置１０。【選択図】図１
2008127628.tif 000002
【特許請求の範囲】
【請求項１】
蒸着装置であって、真空槽と、該真空槽内で被蒸着物を支持する手段と、前記被蒸着物に蒸着させる蒸着材料を収容する容器と、前記真空槽内に周波数２．４〜２．５ＧＨｚのマイクロ波を照射して水分を蒸発させるマイクロ波照射手段と、前記容器に収容された蒸着材料を気化させる加熱手段とを具備することを特徴とする蒸着装置。
【請求項２】
前記マイクロ波照射手段が、前記真空槽内の少なくとも前記蒸着材料に対して前記マイクロ波を照射するものであることを特徴とする請求項１に記載の蒸着装置。
【請求項３】
前記マイクロ波照射手段が、前記真空槽内の少なくとも前記蒸着材料に対して前記マイクロ波を直接照射するものであることを特徴とする請求項１又は請求項２に記載の蒸着装置。
【請求項４】
前記マイクロ波を反射する反射板をさらに具備し、前記マイクロ波照射手段が、前記反射板を介して前記蒸着材料に対して前記マイクロ波を照射するものであることを特徴とする請求項１ないし請求項３のいずれか一項に記載の蒸着装置。
【請求項５】
前記反射板を移動させる手段が設けられていることを特徴とする請求項４に記載の蒸着装置。
【請求項６】
前記反射板を回転させる手段が設けられていることを特徴とする請求項４又は請求項５に記載の蒸着装置。
【請求項７】
前記真空槽の内側にマイクロ波吸収材が設けられていることを特徴とする請求項１ないし請求項６のいずれか一項に記載の蒸着装置。
【請求項８】
前記真空槽として、前記蒸着材料に対して前記マイクロ波を照射して水分を蒸発させるための脱水用真空槽と、前記マイクロ波照射後の蒸着材料を気化して前記被蒸着物に蒸着させるための蒸着用真空槽とを備え、さらに前記蒸発材料を収容した容器を前記脱水用真空槽と前記蒸着用真空槽との間で搬送するための手段を備えていることを特徴とする請求項１ないし請求項７のいずれか一項に記載の蒸着装置。
【請求項９】
真空槽内に配置した蒸着材料に対して周波数２．４〜２．５ＧＨｚのマイクロ波を照射して水分を蒸発させる工程と、前記マイクロ波が照射された蒸着材料を加熱し、気化した蒸着材料を被蒸着物に蒸着させる工程とを含むことを特徴とする蒸着方法。
【請求項１０】
前記蒸着中に、前記真空槽内で前記マイクロ波を照射することを特徴とする請求項９に記載の蒸着方法。
【請求項１１】
真空槽内に機能素子の材料を配置する工程と、前記材料に対して周波数２．４〜２．５ＧＨｚのマイクロ波を照射する工程と、前記マイクロ波が照射された材料を気化させて基板に蒸着させる工程とを含むことを特徴とする機能素子の製造方法。
【発明の詳細な説明】
【技術分野】
【０００１】
本発明は、蒸着装置、蒸着方法、及び機能性素子の製造方法に関する。
【背景技術】
【０００２】
近年、薄型のディスプレイとして、液晶ディスプレイ、プラズマディスプレイ、有機ＥＬ（エレクトロルミネッセンス）ディスプレイ等の開発が進んでいる。
図８は、有機ＥＬ表示装置の有機ＥＬ素子の構成の一例を概略的に示している。この有機ＥＬ素子１は、基板２上に、陽極３（引出電極９）、正孔輸送層４、発光層５、電子輸送層６、陰極７が形成されている。
【０００３】
このような有機ＥＬ素子１を製造する場合、例えば、ガラス等の透明基板２上に真空蒸着によりＩＴＯ等の透明な陽極３（引出電極９）を形成し、次いで、絶縁層や隔壁（図示せず）を形成した後、有機ＥＬ層８として、正孔輸送層４、発光層５、電子輸送層６等を順次成膜する。有機ＥＬ層を形成した後、Ａｌ、ＭｇＡｇ等の陰極７を成膜する。また、有機ＥＬ素子１を製造した後、酸素や水分による素子の劣化等を防ぐため、保護層（封止部材）が設けられる。なお、有機ＥＬ素子は、図８に示したような構成に限らず、例えば輸送層４，６が無いもの、電極３，７と輸送層４，６との間に注入層を設けたもの、あるいは発光層等を直列に積層させた、いわゆるマルチフォトンエミッション素子など種々のタイプがある。
【０００４】
有機ＥＬ素子に限らず、いわゆる機能素子を製造する場合、真空蒸着によって薄膜を形成することが多い（特許文献１及び２参照）。図７は、一般的な蒸着装置の基本構成を概略的に示している。この蒸着装置７０は、真空槽７１内に、坩堝７２、加熱用フィラメント７３、基板支持手段（不図示）等が設けられている。坩堝７２内に蒸着材料を収容するとともに、坩堝７２の上方で基板７５を支持する。そして、真空ポンプ７４により真空槽７１内を高真空に保ち、坩堝７２内の蒸着材料を加熱用フィラメント７３により加熱することで蒸着材料が気化し、基板７５に蒸着させることができる。
【０００５】
有機ＥＬ素子等の機能素子を製造する際、上記のような蒸着装置７０を用いれば、基板７５の表面に均一な薄膜を形成することができる。しかし、基板に蒸着させる前の有機材料あるいは無機材料に水分が含まれていると、蒸着時に気化した蒸着材料と一緒に水分が真空槽７１内に広がり、素子に水分が取り込まれてしまう。素子に微量の水分が混入しても、素子の性能や寿命に悪影響を及ぼしてしまう。そこで、蒸着材料から水分を取り除くため、蒸着前に装置内の加熱用フィラメント７３により蒸着材料の予備加熱が実施される。
【０００６】
【特許文献１】特開平９−２０９１２７号公報
【特許文献２】特開２０００−１６０３２８号公報
【発明の開示】
【発明が解決しようとする課題】
【０００７】
ところが、蒸着材料を予備加熱すると、材料全体に熱が加わる為、材料の一部が昇華（気化）し、材料が減少するとともに無駄になってしまうという問題がある。また、予備加熱により放出された水分は真空槽内の温度の低い部分で結露し、液体となって付着する。このように真空槽内に付着した水分は、蒸着中に再び蒸発して素子に取り込まれ、機能素子の劣化を招くおそれがある。
【０００８】
本発明は、蒸着前の蒸着材料の減少を効果的に防ぐとともに、高品質の機能素子を製造することができる蒸着装置等を提供することを主な目的とする。
【課題を解決するための手段】
【０００９】
上記目的を達成するため、本発明では以下の蒸着装置等が提供される。
【００１０】
＜１＞  蒸着装置であって、真空槽と、該真空槽内で被蒸着物を支持する手段と、前記被蒸着物に蒸着させる蒸着材料を収容する容器と、前記真空槽内に周波数２．４〜２．５ＧＨｚのマイクロ波を照射して水分を蒸発させるマイクロ波照射手段と、前記容器に収容された蒸着材料を気化させる加熱手段とを具備することを特徴とする蒸着装置。
【００１１】
＜２＞  前記マイクロ波照射手段が、前記真空槽内の少なくとも前記蒸着材料に対して前記マイクロ波を照射するものであることを特徴とする＜１＞に記載の蒸着装置。
【００１２】
＜３＞  前記マイクロ波照射手段が、前記真空槽内の少なくとも前記蒸着材料に対して前記マイクロ波を直接照射するものであることを特徴とする＜１＞又は＜２＞に記載の蒸着装置。
【００１３】
＜４＞  前記マイクロ波を反射する反射板をさらに具備し、前記マイクロ波照射手段が、前記反射板を介して前記蒸着材料に対して前記マイクロ波を照射するものであることを特徴とする＜１＞ないし＜３＞のいずれかに記載の蒸着装置。
【００１４】
＜５＞  前記反射板を移動させる手段が設けられていることを特徴とする＜４＞に記載の蒸着装置。
【００１５】
＜６＞  前記反射板を回転させる手段が設けられていることを特徴とする＜４＞又は＜５＞に記載の蒸着装置。
【００１６】
＜７＞  前記真空槽の内側にマイクロ波吸収材が設けられていることを特徴とする＜１＞ないし＜６＞のいずれかに記載の蒸着装置。
【００１７】
＜８＞  前記真空槽として、前記蒸着材料に対して前記マイクロ波を照射して水分を蒸発させるための脱水用真空槽と、前記マイクロ波照射後の蒸着材料を気化して前記被蒸着物に蒸着させるための蒸着用真空槽とを備え、さらに前記蒸発材料を収容した容器を前記脱水用真空槽と前記蒸着用真空槽との間で搬送するための手段を備えていることを特徴とする＜１＞ないし＜７＞のいずれかに記載の蒸着装置。
【００１８】
＜９＞  真空槽内に配置した蒸着材料に対して周波数２．４〜２．５ＧＨｚのマイクロ波を照射して水分を蒸発させる工程と、前記マイクロ波が照射された蒸着材料を加熱し、気化した蒸着材料を被蒸着物に蒸着させる工程とを含むことを特徴とする蒸着方法。
【００１９】
＜１０＞  前記蒸着中に、前記真空槽内で前記マイクロ波を照射することを特徴とする＜９＞に記載の蒸着方法。
【００２０】
＜１１＞  真空槽内に機能素子の材料を配置する工程と、前記材料に対して周波数２．４〜２．５ＧＨｚのマイクロ波を照射する工程と、前記マイクロ波が照射された材料を加熱により気化して基板に蒸着させる工程とを含むことを特徴とする機能素子の製造方法。
【発明の効果】
【００２１】
本発明によれば、蒸着前の蒸着材料の減少を効果的に防ぐとともに、高品質の機能素子を製造することができる蒸着装置等が提供される。
【発明を実施するための最良の形態】
【００２２】
以下、添付の図面を参照しながら、本発明に係る蒸着装置について具体的に説明する。
図１は、本発明に係る蒸着装置の構成の一例（第１の態様）を概略的に示している。この蒸着装置１０は、真空ポンプ１９が接続した真空槽１１を備えている。真空槽１１はステンレス等の金属で構成される。また、真空槽１１の内部を観察するための覗き窓（不図示）は、後述のマイクロ波を遮蔽する構造とする。
【００２３】
真空槽１１の上部には、基板（被蒸着物）２２を支持するための支持台２０が設けられている。また、基板支持台２０の下にはシャッター２１が設けられており、水平方向へのスライドにより開閉可能となっている。シャッター２１の開閉により蒸着の開始及び終了を制御することができる。
【００２４】
真空槽１１の底部には、モーター（不図示）により回転可能なヒーター台１４が設けられている。ヒーター台１４には蒸着材料を収容するための坩堝１２ａ，１２ｂが同心円状に複数配置されている。坩堝１２ａ，１２ｂは有機ＥＬ層素子の製造に使用されるものであれば特に限定されないが、セラミック系の坩堝１２ａ，１２ｂであれば材料を汚染せず、好ましい。各坩堝１２ａ，１２ｂの周囲には坩堝１２ａ，１２ｂ内の蒸着材料を加熱して気化させるための抵抗加熱ヒーター１３が設けられている。なお、加熱手段１３は抵抗加熱方式に限定されず、電子ビーム、高周波誘導、レーザーなどを採用してもよい。
【００２５】
さらに、この蒸着装置１０には、真空槽１１内に周波数２．４〜２．５ＧＨｚのマイクロ波を照射することができるマイクロ波照射手段が設けられている。マイクロ波照射手段は、主に、マグネトロン１５と、アンテナ１６と、マイクロ波導波管１７から構成されており、マイクロ波導波管１７の照射口は、同心円状に配置された複数の坩堝１２ａ，１２ｂ群の中心に位置している。
【００２６】
マイクロ波導波管１７の上方には、マイクロ波を反射する金属製の反射板１８が設けられている。反射板１８は所定の角度に傾けられており、マイクロ波導波管１７から放射されたマイクロ波を、反射板１８を介して各坩堝１２ａ，１２ｂ内の蒸着材料に対して照射することができる。このような反射板１８を設けることで、１つのマイクロ波照射手段により複数の蒸着源１２ａ，１２ｂにマイクロ波を同時に照射することができる。
反射板１８には、移動手段を設けることが好ましい。例えば、図１及び図２に示すように各反射板１８に上下動作可能な支柱２３ａ，２３ｂを設けておけば、蒸着時に支柱２３ａ，２３ｂを下方に動作させることで反射板１８を退避させることができる。
【００２７】
次に、有機ＥＬ素子を製造する際、上記の蒸着装置１０を用いて蒸着を行う方法について説明する。
まず、被蒸着物となる基板２２を  蒸着させる面が蒸着材料と対向するように支持台２０にセットする。
基板２２は有機ＥＬ素子の基板として使用できるものであれば特に限定されず、目的に応じて選択すればよい。例えば、ガラス基板でもよいし、可撓性を持たせる場合には、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の樹脂基板を用いることができる。
【００２８】
また、いわゆるトップエミッション構造の有機ＥＬ素子を製造する場合には、基板２２側から発光を取り出す必要がないため、金属からなる不透明基板を用いることができる。例えば、ステンレス、Ｆｅ、Ａｌ、Ｎｉ、Ｃｏ、Ｃｕやこれらの合金等の金属基板を用いれば、高いガスバリア性を有するものとなる。
【００２９】
各坩堝１２ａ，１２ｂには蒸着材料を収容する。例えば、基板２２に陽極を形成する場合には、有機ＥＬ素子の陽極を構成する公知の材料から選択することができる。陽極は、例えば、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）、アルミニウムやガリウムをドープした酸化亜鉛（ＡＺＯ、ＧＺＯ）等の導電性金属酸化物から構成されるため、これらの材料から適宜選択し、その粉末を蒸着材料として坩堝１２ａ，１２ｂ内に収容すればよい。
また、低分子系の有機ＥＬ層を形成する場合には真空蒸着により成膜することができるため、正孔輸送層、発光層、電子輸送層等、各有機層に応じた蒸着材料を適宜選択すればよい。
【００３０】
基板２２と蒸着材料をそれぞれ配置した後、真空ポンプ１９により真空槽１１内を、例えば１０−３Ｐａ以下、好ましくは１０−４Ｐａ以下の所定の真空度まで減圧するとともに、蒸着材料に対して周波数２．４〜２．５ＧＨｚのマイクロ波を照射する。マグネトロン１５とアンテナ１６により周波数２．４〜２．５ＧＨｚのマイクロ波を発生させ、マイクロ波導波管１７により導かれたマイクロ波は反射板１８により坩堝１２ａ，１２ｂ内の蒸着材料の方向に反射される。そして、蒸着材料に達したマイクロ波は、主に水分子に吸収される為、蒸着材料に含まれる水分を効率的に蒸発させることができる。すなわち、周波数２．４〜２．５ＧＨｚのマイクロ波を照射することで、蒸着材料自体への影響を小さくすることができるとともに、材料に含まれる水分を選択的に除去することができる。
【００３１】
上記のようなマイクロ波照射手段により真空槽１１内の少なくとも蒸着材料に対してマイクロ波を照射するが、真空槽１１内の内壁や基板２２の方向にもマイクロ波を照射してもよい。マイクロ波導波管１７から放射されたマイクロ波の一部が反射板１８以外の真空槽１１内に放射されれば、蒸着材料から蒸発した水分にもマイクロ波が当たって加熱し続けるため、真空ポンプ１９で排出されるまで気体となり、真空槽１１等に付着することを防ぐことができる。また、蒸発した水分が真空槽１１の内壁に付着したとしても、上記マイクロ波は水分子に選択的に吸収されるため、これらの水分もすぐに蒸発させて除去することができる。
【００３２】
マイクロ波の照射により蒸着材料中の水分を選択的に加熱して蒸発させた後、抵抗加熱ヒーター１３により坩堝１２ａ，１２ｂ内の蒸着材料を加熱する。抵抗加熱ヒーター１３により所定の温度に加熱された蒸着材料は気化（昇華）し、基板２２に蒸着させることができる。蒸着の際、ヒーター台１４もしくは基板２２を含む基板支持台２０を回転させることでヒーター台１４に対向する基板２２の表面に均一に成膜することができる。なお、蒸着を行う前に、反射板１８は蒸着の妨げとならない位置、例えば、図１に示されるように、ヒーター台１４の近くに退避させておくことが好ましい。
【００３３】
上記のようにマイクロ波照射手段により蒸着材料に対して周波数２．４〜２．５ＧＨｚのマイクロ波を照射して水分を蒸発させた後、抵抗加熱ヒーター１３により蒸着材料を加熱して基板２２への蒸着を行えば、蒸着材料に起因する水分がほとんど含まれていない高品質の薄膜を基板２２に形成することができる。
【００３４】
蒸着中、真空槽１１内で上記マイクロ波を照射し続けることもできる。蒸着前に、坩堝１２ａ，１２ｂ内の蒸着材料に上記マイクロ波を照射することで水分が効率的に除去されるが、蒸着材料中に微量ながら水分が残留している場合、これらの残留水分は、気化した蒸着材料とともに真空室内に放出されて、真空槽１１の内壁や基板２２に付着する可能性がある。そこで、蒸着中、真空槽１１内で周波数２．４〜２．５ＧＨｚのマイクロ波を照射し続ければ、真空槽１１内の水分を選択的に加熱して除去することができる。このように蒸着中もマイクロ波を照射することで、蒸着材料に起因する水分を一層効果的に除去することができ、より高品質の薄膜を形成することができる。
【００３５】
図３は、本発明に係る蒸着装置１０の構成の他の例（第２の態様）を概略的に示している。
この蒸着装置３０は、第１の態様の装置１０と同様、真空槽１１内に、基板支持台２０、坩堝１２ａ，１２ｂ、抵抗加熱ヒーター１３、マイクロ波照射手段（マグネトロン１５、アンテナ１６、マイクロ波導波管１７）、反射板１８ａ〜１８ｄ等を備えている。真空槽１１の内側（内壁）にはマイクロ波吸収材２４が設けられている。マイクロ波吸収材２４としては、例えば、ＭｇＯ、ＳｉＣ等を好適に使用することができる。また、反射板１８ａ〜１８ｄには回転手段が設けられている。図４は、反射板１８ａ〜１８ｄの回転手段２５の一例を概略的に示している。この回転手段２５は、ヒーター台１４の内側に設けられており、モータ（不図示）によりヒーター台１４の内側で回転するように構成されている。
【００３６】
このような蒸着装置３０により蒸着を行う場合も、マイクロ波照射により蒸着材料中の水分を除去した後、蒸着を行う。すなわち、真空槽１１内に蒸着材料と基板２２をそれぞれ配置し、真空下で坩堝１２ａ，１２ｂ内の蒸着材料に対して周波数２．４〜２．５ＧＨｚのマイクロ波を照射して水分を蒸発させる。次いで、抵抗加熱ヒーター１３により蒸着材料を加熱して基板２２への蒸着を行う。なお、反射板１８ａ〜１８ｄは小型のものであり、蒸着源１２ａ，１２ｂから基板２２への蒸着を遮らない位置に設けられているので、蒸着の際、退避させなくてもよい。
【００３７】
また、蒸着中は、マイクロ波照射を行うとともに、反射板の支柱２５ａ〜２５ｄを含む回転手段２５により反射板１８ａ〜１８ｄを回転させることが好ましい。反射板１８ａ〜１８ｄの回転により、マイクロ波を真空槽１１内に均等に拡散させることができ、蒸着中も水分をより効率的に除去することができる。なお、真空槽１１内に拡散されたマイクロ波は、真空槽１１の内壁に設けたマイクロ波吸収材２４によってほとんど吸収されるので、外部へのマイクロ波の漏洩等をより効果的に防ぐことができる。
上記のように蒸着を行えば、蒸着材料に起因する水分がほとんど含まれていない高品質の薄膜を基板表面に形成することができる。
【００３８】
第１及び第２の態様の各蒸着装置１０，３０では、１つの真空槽１１内でマイクロ波照射による水分除去とヒーターによる蒸着を行うが、別々の真空槽で行ってもよい。
図５は、本発明に係る蒸着装置を備えた有機ＥＬ素子製造システムの構成の一例を示している。このシステム４０は、蒸着材料に対してマイクロ波を照射して水分を蒸発させるための脱水用真空槽（材料投入室）４３と、マイクロ波照射後の蒸着材料を気化して基板に蒸着させるための蒸着用真空槽（蒸着室）４４，４５を備えている。さらに、蒸発材料を収容した容器を脱水用真空槽４３と蒸着用真空槽４４，４５との間で搬送するための手段（搬送室４６）、基板を一時的に保管するための基板ストック室４１等も備えている。
【００３９】
このような構成の有機ＥＬ素子製造システム４０では、まず、基板ストック室４１に収納されている基板が前処理室４２に搬送され、プラズマ処理される。
一方、材料投入室４３には蒸着材料が投入され、マイクロ波による加熱脱水処理が行われる。図６は、材料投入室（脱水用真空槽）４３の一例を概略的に示している。材料投入室４３内には、坩堝１２ａ，１２ｂ、抵抗加熱ヒーター１３、ヒーター台１４等が備えられ、さらに室内に周波数２．４〜２．５ＧＨｚのマイクロ波を照射するためのマイクロ波照射手段（マグネトロン１５、アンテナ１６、マイクロ波導波管１７）が設けられている。また、搬送用シャッター６２が設けられており、ヒーター台１４はモータ（不図示）による回転のほか、材料投入室（脱水用真空槽）４３と蒸着室（蒸着用真空槽）４４，４５との間で移動可能となっている。例えば、ヒーター台１４の下部には、蒸着用真空槽（蒸着室）４４，４５に設けられた給電用電極（図示せず）と接し、電気回路的に接続可能な抵抗加熱ヒーター１３と接続された電極（図示せず）が、夫々突出しており、蒸発材料を収容した坩堝１２ａ，１２ｂをヒーター台１４ごと移動させることができる。
【００４０】
材料投入室４３の坩堝１２ａ，１２ｂ内に蒸着材料が投入された後、搬送用シャッター６２を閉じて真空状態にする。そして、ヒーター台１４を回転させ、マイクロ波照射手段１５，１６，１７により、周波数２．４〜２．５ＧＨｚのマイクロ波を坩堝１２ａ，１２ｂ内の蒸着材料に直接照射する。これにより蒸着材料中に含まれる水分が選択的に加熱されて蒸発し、蒸着材料が脱水される。
【００４１】
マイクロ波照射後、高真空を保ったままヒーター台１４ごと搬送室４６を経て蒸着室４４に移動し、蒸着を行う。蒸着室４４は公知の蒸着装置と同様の構成とすることができる。蒸着室４４に搬送された蒸着材料はマイクロ波照射により水分が除去されているため、蒸着材料に起因する水分含有量が極めて少ない高品質の薄膜を形成することができる。次いで、他の蒸着室４５で次の蒸着を行うが、この場合の蒸着材料も、材料投入室４３でマイクロ波照射により水分を除去した後、蒸着室４５に移動させて蒸着を行う。
【００４２】
全ての蒸着が終了したら、受渡室４７を経て検査室５２に搬送される。検査室５２では積層状態等が検査され、問題が無ければ封止室５３に搬送し、有機ＥＬ素子を水や酸素から保護するための封止を行う。封止部材としては、ガラス、プラスチック等を用いることができる。
なお、検査室５２や封止室５３が使用中の場合は、ストック室５１，５５に一時的に保管することができる。封止後、製造された有機ＥＬ素子は排出室５４を経てシステム４０から排出される。このような本発明に係る蒸着装置を備えたシステム４０であれば、有機ＥＬ素子の製造を連続的に行うことができる。
【００４３】
以上のように、本発明によれば、真空槽内に配置した蒸着材料に対して周波数２．４〜２．５ＧＨｚのマイクロ波を照射して水分を蒸発させた後、マイクロ波が照射された蒸着材料を加熱し、気化した蒸着材料を被蒸着物に蒸着させる。これにより蒸着前に蒸着材料を無駄にすることはなく、蒸着材料に起因する水分がほとんど含まれない高品質の薄膜を形成することができる。
【００４４】
本発明は上記実施形態に限定されるものではない。例えば、蒸着材料を収容する坩堝の数は限定されず、１つでもよいし、３つ以上設けてもよい。また、反射板は必須ではなく、マイクロ波導波管から直接マイクロ波を蒸着材料に照射してもよい。
また、本発明は、有機ＥＬ素子の製造に限らず、他の機能素子、例えば無機ＥＬ素子、液晶表示素子、プラズマ素子、電気泳動素子等の製造のほか、半導体デバイスなどの電子部品や光学部品の製造おける真空蒸着にも好ましく適用することができる。
【図面の簡単な説明】
【００４５】
【図１】本発明に係る蒸着装置の一例を示す概略構成図である。
【図２】反射板の移動手段の一例を示す概略図である。
【図３】本発明に係る蒸着装置の他の例を示す概略図である。
【図４】反射板の回転手段の一例を示す概略図である。（Ａ）平面図  （Ｂ）部分断面図
【図５】本発明に係る蒸着装置を備えた蒸着システムの一例を示す概略構成図である。
【図６】本発明に係る蒸着装置のさらに他の例を示す概略構成図である。
【図７】従来の蒸着装置の基本的な構成を示す概略図である。
【図８】有機ＥＬ素子の構成の一例を示す概略図である。
【符号の説明】
【００４６】
１０・・・蒸着装置
１１・・・真空槽
１２ａ，１２ｂ・・・坩堝
１３・・・抵抗加熱ヒーター
１４・・・ヒーター台
１５・・・マグネトロン
１６・・・アンテナ
１７・・・マイクロ波導波管
１８・・・反射板
１９・・・真空ポンプ
２０・・・基板支持台
２１・・・シャッター
２２・・・基板
２３ａ，２３ｂ・・・反射板移動手段
２４・・・マイクロ波吸収材
２５・・・反射板回転手段
【図１】
2008127628.tif 000003
【図２】
2008127628.tif 000004
【図３】
2008127628.tif 000005
【図４】
2008127628.tif 000006
【図５】
2008127628.tif 000007
【図６】
2008127628.tif 000008
【図７】
2008127628.tif 000009
【図８】
2008127628.tif 000010